(57)【要約】【課題】  簡単な構造によって、扉ハンドルの固定ねじの取外しを防止すると共に、ラッチ受けとラッチ及びハンドル側とを連結状態にして扉の開放を阻止するようにした冷蔵・冷凍庫用扉ハンドルの盗難防止装置を提供すること。【解決手段】  冷蔵庫等の庫口枠３に固設されるラッチ受け４と、庫口枠３に開閉自在に装着される扉体５に固定ねじ６をもって固定されるラッチケース７と、ラッチケース７に取り付けられてラッチ受け４に係脱可能に係合するラッチ８と、ラッチ８を施錠又は解錠操作するハンドル９とを具備する扉ハンドルにおいて、ハンドル９の内方（扉体）側に位置し、かつ、ラッチ受け４及びラッチケース７を囲繞すると共に、固定ねじ６の頭部６ａの少なくとも操作溝部６ｂを覆う枠状の盗難防止具３０と、盗難防止具３０におけるラッチ受け囲繞部３１の抜け出しを防止すべく、ラッチ受け４に設けられた貫通孔４ａに係脱可能に係合する南京錠４０とを設ける。【選択図】    図２
2005180045.tif 000002
【特許請求の範囲】
【請求項１】
冷蔵・冷凍庫等の出入口用開口部の庫口枠に固設されるラッチ受けと、上記庫口枠に開閉自在に装着される扉体に固定ねじをもって固定されるラッチケースと、このラッチケースに取り付けられて上記ラッチ受けに係脱可能に係合するラッチと、このラッチを施錠又は解錠操作するハンドルとを具備する冷蔵・冷凍庫用扉ハンドルにおいて、
上記ハンドルの内方側に位置し、かつ、上記ラッチ受け及びラッチケースを囲繞すると共に、上記固定ねじの頭部の少なくとも操作溝部を覆う枠状の盗難防止具と、
上記盗難防止具におけるラッチ受け囲繞部の抜け出しを防止すべく、上記ラッチ受けに設けられた貫通孔に係脱可能に係合する錠前と、を具備することを特徴とする冷蔵・冷凍庫用扉ハンドルの盗難防止装置。
【請求項２】
冷蔵・冷凍庫等の出入口用開口部の庫口枠に固設されるラッチ受けと、上記庫口枠に開閉自在に装着される扉体に固定ねじをもって固定されるラッチケースと、このラッチケースに取り付けられて上記ラッチ受けに係脱可能に係合するラッチと、このラッチを施錠又は解錠操作するハンドルとを具備する冷蔵・冷凍庫用扉ハンドルにおいて、
上記ハンドルの内方側に位置し、かつ、上記ラッチ受け及びラッチケースを囲繞すると共に、上記固定ねじの頭部の少なくとも操作溝部を覆う枠状の盗難防止具と、
上記盗難防止具におけるラッチ受け囲繞部の抜け出しを防止すべく、上記ラッチ受けに設けられた貫通孔に係脱可能に係合する係止ピンと、
上記係止ピンの突出部に設けられた透孔に係脱可能に係合する錠前と、を具備することを特徴とする冷蔵・冷凍庫用扉ハンドルの盗難防止装置。
【請求項３】
冷蔵・冷凍庫等の出入口用開口部の庫口枠に固設されるラッチ受けと、上記庫口枠に開閉自在に装着される扉体に固定ねじをもって固定されるラッチケースと、このラッチケースに取り付けられて上記ラッチ受けに係脱可能に係合するラッチと、このラッチを施錠又は解錠操作するハンドルとを具備する冷蔵・冷凍庫用扉ハンドルにおいて、
上記ハンドルの内方側に位置し、かつ、上記ラッチ受けの両側から上記ラッチケースを囲繞すると共に、上記固定ねじの頭部の少なくとも操作溝部を覆う略Ｕ字状の盗難防止具と、
上記盗難防止具を回動可能に枢支すべく、この盗難防止具のラッチ受け側端部及び上記ラッチ受けに設けられた貫通孔を貫通する枢支ピンと、
上記枢支ピンの突出部に設けられた透孔に係脱可能に係合する錠前と、を具備することを特徴とする冷蔵・冷凍庫用扉ハンドルの盗難防止装置。
【請求項４】
請求項１ないし３のいずれかに記載の冷蔵・冷凍庫用扉ハンドルの盗難防止装置において、
上記盗難防止具における対向する２辺に、上記ハンドルに設けられたロック部を覆う補助覆い片を架設してなる、ことを特徴とする冷蔵庫等におけるスライド扉の脱輪防止装置。
【発明の詳細な説明】
【技術分野】
【０００１】
この発明は、冷蔵・冷凍庫用扉ハンドルの盗難防止装置に関するものである。
【背景技術】
【０００２】
一般に、屋外に設置される大型の冷蔵庫や冷凍庫においては、図９に示すように、冷蔵・冷凍庫等の出入口用開口部の庫口枠３に固設されるラッチ受け４と、庫口枠３に開閉自在に装着される扉体５に固定ねじ６をもって固定されるラッチケース７と、このラッチケース７に取り付けられてラッチ受け４に係脱可能に係合するラッチ８と、このラッチ８を施錠又は解錠操作するハンドル９とを具備する扉ハンドルが使用されている。この扉ハンドルにおいては、扉ハンドル自体に設けられた施錠機構を有するロック部９０を施錠して、庫内貯蔵物の盗難を防止していた。
【０００３】
しかし、この種の扉ハンドルでは、ロック部９０を施錠したとしても、その構造上、固定ねじが露出しているため、ドライバ等によってラッチケース７、ラッチ受け４の取外しや、ドライバやバール等によるこじ開けで容易に扉体５が開けられてしまい、盗難防止という面では不十分であった。
【０００４】
そのため、従来では、庫口枠に固設されるケースにラッチ受けを内設し、ケースに嵌挿される鎖錠ピンによってラッチ受けを固定する固定ねじの頭部を隠蔽するようにした盗難防止構造が知られている（例えば、特許文献1参照）。
【特許文献１】実公昭５９−１６４４９号公報（実用新案登録請求の範囲、第１図、第４図）
【発明の開示】
【発明が解決しようとする課題】
【０００５】
しかしながら、実公昭５９−１６４４９号公報に記載の盗難防止構造においては、ラッチ受けの取外しを防止することができるが、ドライバによってラッチ側の固定ねじを取り外すことによって、扉体が開けられてしまう。また、ラッチとラッチ受けとの間にドライバやバール等を差し込んで施錠を解除して、容易に扉体が開けられてしまうので、十分な盗難防止が図れないという問題があった。
【０００６】
この問題を解決する手段として、扉ハンドルの取付部の全ての固定ねじを外部に露出させずに、庫内側に露出させるようにすることも考えられる。しかし、このような構造にするには扉体を貫通して固定ねじを取り付けるため、構造が複雑になるばかりか、扉体の断熱性が低下する恐れがある。
【０００７】
この発明は、上記事情に鑑みてなされたもので、簡単な構造によって、扉ハンドルの固定ねじの取外しを防止すると共に、ラッチ受けとラッチ及びハンドル側とを連結状態にして扉の開放を阻止するようにした冷蔵・冷凍庫用扉ハンドルの盗難防止装置を提供することを目的とするものである。
【課題を解決するための手段】
【０００８】
上記課題を解決するために、この発明は、冷蔵・冷凍庫等の出入口用開口部の庫口枠に固設されるラッチ受けと、上記庫口枠に開閉自在に装着される扉体に固定ねじをもって固定されるラッチケースと、このラッチケースに取り付けられて上記ラッチ受けに係脱可能に係合するラッチと、このラッチを施錠又は解錠操作するハンドルとを具備する冷蔵・冷凍庫用扉ハンドルを前提とするもので、この発明の第１の冷蔵・冷凍庫用扉ハンドルの盗難防止装置は、  上記ハンドルの内方側すなわち扉体側に位置し、かつ、上記ラッチ受け及びラッチケースを囲繞すると共に、上記固定ねじの頭部の少なくとも操作溝部を覆う枠状の盗難防止具と、  上記盗難防止具におけるラッチ受け囲繞部の抜け出しを防止すべく、上記ラッチ受けに設けられた貫通孔に係脱可能に係合する錠前と、を具備することを特徴とする（請求項１）。
【０００９】
このように構成することにより、扉ハンドルの施錠状態において、盗難防止具を、ハンドルの内方側（扉体側）に位置させると共に、ラッチ受け及びラッチケースに囲繞させて、固定ねじの頭部の少なくとも操作溝部を覆い、ラッチ受けに設けられた貫通孔に錠前を係合すなわち施錠して、盗難防止具におけるラッチ受け囲繞部の抜け出しを防止することができる。
【００１０】
また、この発明の第２の冷蔵・冷凍庫用扉ハンドルの盗難防止装置は、  上記ハンドルの内方側（扉体側）に位置し、かつ、上記ラッチ受け及びラッチケースを囲繞すると共に、上記固定ねじの頭部の少なくとも操作溝部を覆う枠状の盗難防止具と、  上記盗難防止具におけるラッチ受け囲繞部の抜け出しを防止すべく、上記ラッチ受けに設けられた貫通孔に係脱可能に係合する係止ピンと、  上記係止ピンの突出部に設けられた透孔に係脱可能に係合する錠前と、を具備することを特徴とする（請求項２）。
【００１１】
このように構成することにより、扉ハンドルの施錠状態において、盗難防止具を、ハンドルの内方側（扉体側）に位置させると共に、ラッチ受け及びラッチケースに囲繞させて、固定ねじの頭部の少なくとも操作溝部を覆い、ラッチ受けに設けられた貫通孔に係止ピンを貫通すると共に、係止ピンの突出部に設けられた透孔に錠前を係合（施錠）して、盗難防止具におけるラッチ受け囲繞部の抜け出しを防止することができる。
【００１２】
また、この発明の第３の冷蔵・冷凍庫用扉ハンドルの盗難防止装置は、  上記ハンドルの内方側（扉体側）に位置し、かつ、上記ラッチ受けの両側から上記ラッチケースを囲繞すると共に、上記固定ねじの頭部の少なくとも操作溝部を覆う略Ｕ字状の盗難防止具と、  上記盗難防止具を回動可能に枢支すべく、この盗難防止具のラッチ受け側端部及び上記ラッチ受けに設けられた貫通孔を貫通する枢支ピンと、  上記枢支ピンの突出部に設けられた透孔に係脱可能に係合する錠前と、を具備することを特徴とする（請求項３）。
【００１３】
このように構成することにより、扉ハンドルの施錠状態において、盗難防止具を、ハンドルの内方側（扉体側）に位置させると共に、ラッチ受けの両側及びラッチケースに囲繞させて、固定ねじの頭部の少なくとも操作溝部を覆い、盗難防止具のラッチ受け側端部及びラッチ受けに設けられた貫通孔に枢支ピンを貫通すると共に、枢支ピンの突出部に設けられた透孔に錠前を係合（施錠）して、盗難防止具におけるラッチ受け囲繞部の抜け出しを防止することができる。また、扉体の開閉時には、一旦、錠前の施錠を解いて盗難防止具を取り外した後、再び、盗難防止具を枢支ピンによってラッチ受けに回動可能に取り付けることができる。
【００１４】
この発明において、上記盗難防止具における対向する２辺に、上記ハンドルに設けられたロック部を覆う補助覆い片を架設するようにしてもよい（請求項４）。
【発明の効果】
【００１５】
この発明によれば、上記のように構成されているので、以下のような効果が得られる。
【００１６】
請求項１，２，３記載の発明によれば、扉ハンドルの施錠状態において、盗難防止具によって固定ねじの頭部の少なくとも操作溝部を覆い、ラッチ受けに設けられた貫通孔に錠前を係合すなわち施錠して、盗難防止具におけるラッチ受け囲繞部の抜け出しを防止するので、ドライバによって固定ねじが取り外されるのを防止することができる。また、盗難防止具によってラッチ受けとラッチ及びハンドルとを連結するので、ドライバやバール等によってラッチ受けとラッチの係合（施錠）が解かれても扉体の開放を阻止することができる。
【００１７】
また、請求項３記載の発明によれば、扉体の開閉時には、一旦、錠前の施錠を解いて盗難防止具を取り外した後、再び、盗難防止具を枢支ピンによってラッチ受けに回動可能に取り付けることができるので、上記効果に加えて、更に盗難防止具の紛失を防止することができる。
【００１８】
また、請求項４記載の発明によれば、盗難防止具における対向する２辺に、上記ハンドルに設けられたロック部を覆う補助覆い片を架設することにより、上記効果に加えて、更に扉ハンドル自体のロック部を外部から覆うことができ、更に盗難防止を確実にすることができる。
【発明を実施するための最良の形態】
【００１９】
以下に、この発明に係る冷蔵・冷凍庫用扉ハンドルの盗難防止装置の最良の実施形態を添付図面に基づいて詳細に説明する。
【００２０】
＜第１実施形態＞
図１は、この発明に係る盗難防止装置を冷蔵・冷凍庫用扉ハンドルに適用した場合の第１実施形態を示す概略正面図、図２は、盗難防止装置を示す正面図（ａ）及びその平面図（ｂ）、図３は、この発明における盗難防止具の斜視図である。
【００２１】
上記扉ハンドル９は、プレハブ式冷蔵・冷凍庫の庫体１に開設された出入口用開口部２の庫口枠３に固設されるラッチ受け４と、庫口枠３に開閉自在に装着される扉体５に固定ねじ６をもって固定されるラッチケース７と、このラッチケース７に取り付けられてラッチ受け４に係脱可能に係合するラッチ８と、このラッチ８を施錠又は解錠操作するハンドル９とで主に構成されている。
【００２２】
この場合、ラッチ受け４は、庫体１内から庫体１を構成する断熱パネル１０と庫口枠３を貫通する取り付けボルト１１によって固設されている。なお、断熱パネル１０は、一対の表面板１２間に例えば発泡スチロール等の発泡断熱性心材１３が充填されると共に、表面板１２の辺部間に枠材１４が装着されている。また、扉体５を構成する断熱パネル１０Ａも断熱パネル１０と同様に、一対の表面板１２間に例えば発泡スチロール等の発泡断熱性心材１３が充填されると共に、表面板１２の辺部間に枠材１４が装着されている。なお、扉体５の庫内側周面には中空パッキン１５が装着されており、庫口枠３の外周面には、扉体５の閉塞時に中空パッキン１５と圧接するパッキン受け座１６が装着されている。
【００２３】
また、ハンドル９は、ロック部９０の施錠機構によってハンドル自体が施錠されるように構成されている。また、扉体５の庫内側には、扉体５に設けられた貫通孔（図示せず）を貫通してハンドル９に係合可能な操作棒１７が設けられている。この操作棒１７は、庫内に作業員が閉じ込められた際に、ハンドル９を解錠方向に操作するもので、緊急避難用に使用される。
【００２４】
上記盗難防止装置２０は、ハンドル９の内方側すなわち扉体側に位置し、かつ、ラッチ受け４及びラッチケース７を囲繞すると共に、固定ねじ６の頭部６ａの少なくとも操作溝部６ｂを覆う枠状の盗難防止具３０と、この盗難防止具３０におけるラッチ受け囲繞部の抜け出しを防止すべく、ラッチ受け４に設けられた貫通孔４ａに係脱可能に係合する錠前例えば南京錠４０とで主に構成されている。
【００２５】
この場合、盗難防止具３０は、ニッパ等の切断具によって切断されないような材料、例えばステンレスやスチール等の金属や強化プラスチック等の強靭な材料にて形成されている。また、盗難防止具３０は、図２及び図３に示すように、ラッチ受け４を囲繞する略コ字状のラッチ受け囲繞部３１と、ラッチケース７を囲繞する開口側が拡開テーパ状の細長コ字状のラッチケース囲繞部３２と、ラッチ受け囲繞部３１とラッチケース囲繞部３２とを連結する傾斜連結部３３とで構成されている。この場合、ラッチケース囲繞部３２は、固定ねじ６の頭部６ａに設けられた操作溝部６ｂにドライバ等が差し込めないように、操作溝部６ｂを外部から覆っている（図２（ａ）参照）。
【００２６】
上記のように構成される盗難防止装置２０を用いて扉ハンドル９の盗難防止を行う場合には、ハンドル９を施錠状態にした後、盗難防止具３０のラッチケース囲繞部３２をハンドル９の内方側（扉体側）に位置させて、ラッチケース７を囲繞すると共に、固定ねじ６の頭部６ａに設けられた操作溝部６ｂを覆った後、ラッチ受け囲繞部３１によってラッチ受け４を囲繞する。そして、ラッチ受け４に設けられた貫通孔４ａに南京錠４０のＵ字形金具４１を貫通した後、施錠する。
【００２７】
この状態において、盗難防止具３０によって固定ねじ６の頭部６ａの少なくとも操作溝部６ｂが覆われ、ラッチ受け４に設けられた貫通孔４ａに南京錠４０が係合すなわち施錠されて、盗難防止具３０におけるラッチ受け囲繞部３１の抜け出しが防止される。したがって、ドライバによって固定ねじ６が取り外されるのを防止することができる。また、盗難防止具３０によってラッチ受け４とラッチ８及びハンドル９とが連結されているので、ドライバやバール等によってラッチ受け４とラッチ８の係合（施錠）が解かれても扉体５の開放を阻止することができる。
【００２８】
なお、扉体５を開閉する場合は、南京錠４０の施錠を解いて、盗難防止具３０を取り外せばよい。
【００２９】
＜第２実施形態＞
図４は、この発明に係る盗難防止装置の第２実施形態を示す正面図（ａ）及び平面図（ｂ）である。
【００３０】
第２実施形態は、ラッチ受け４に設けられた貫通孔４ａに一端に膨隆頭部５１を有する係止ピン５０を貫通させ、この係止ピン５０の先端部すなわち突出部に設けられた透孔５２に南京錠４０ＡのＵ字形金具４１Ａを係脱可能に係合させるようにした場合である。このように構成することにより、Ｕ字形金具４１Ａを必要以上に長くすることなく、通常の南京錠４０Ａを使用することができる。
【００３１】
なお、第２実施形態において、その他の部分は第１実施形態と同じであるので、同一部分には同一符号を付して、説明は省略する。
【００３２】
上記のように構成される第２実施形態の盗難防止装置２０Ａを用いて扉ハンドル９の盗難防止を行う場合には、第１実施形態と同様に、ハンドル９を施錠状態にした後、盗難防止具３０のラッチケース囲繞部３２をハンドル９の内方側（扉体側）に位置させて、ラッチケース７を囲繞すると共に、固定ねじ６の頭部６ａに設けられた操作溝部６ｂを覆った後、ラッチ受け囲繞部３１によってラッチ受け４を囲繞する。そして、ラッチ受け４に設けられた貫通孔４ａに係止ピン５０を貫通させた後、係止ピン５０の突出部に設けられた透孔５２に南京錠４０ＡのＵ字形金具４１Ａを貫通した後、施錠すればよい。
【００３３】
なお、扉体５を開閉する場合は、南京錠４０Ａの施錠を解き、係止ピン５０をラッチ受け４から取り外して、盗難防止具３０を取り外せばよい。
【００３４】
＜第３実施形態＞
図５は、この発明に係る盗難防止装置の第３実施形態の使用状態を示す正面図（ａ）及びその平面図（ｂ）、図６は、盗難防止装置の不使用状態を示す正面図（ａ）及びその平面図（ｂ）である。
【００３５】
第３実施形態の盗難防止装置２０Ｂは、不使用時に盗難防止具３０Ｂが紛失しないようにした場合である。すなわち、盗難防止装置２０Ｂは、ラッチ受け４の両側からラッチケース７を囲繞すると共に、固定ねじ６の頭部６ａの少なくとも操作溝部６ｂを覆う略Ｕ字状の盗難防止具３０Ｂと、この盗難防止具３０Ｂを回動可能に枢支すべく、この盗難防止具３０Ｂのラッチ受け側端部３４及びラッチ受け４に設けられた貫通孔４ａを貫通する一端に膨隆頭部６１を有する枢支ピン６０と、この枢支ピン６０の先端部すなわち突出部に設けられた透孔６２に係脱可能に係合するＵ字形金具４１Ｂを有する南京錠４０Ｂとを具備している。このように構成することにより、第２実施形態と同様に、Ｕ字形金具４１Ｂを必要以上に長くすることなく、通常の南京錠４０Ｂを使用することができる。
【００３６】
この場合、盗難防止具３０Ｂは、図７に示すように、両ラッチ受け側端部３４にそれぞれ傾斜連結部３３Ｂを介して開口側が拡開テーパ状の細長コ字状のラッチケース囲繞部３２Ｂを連結した形状を有し、ラッチ受け側端部３４には、それぞれ枢支ピン６０を貫挿する貫通孔３５を有する円形状取付部３６が形成されている。
【００３７】
なお、第３実施形態において、その他の部分は第１実施形態と同じであるので、同一部分には同一符号を付して、説明は省略する。
【００３８】
上記のように構成される第３実施形態の盗難防止装置２０Ｂを用いて扉ハンドル９の盗難防止を行う場合には、第１実施形態と同様に、ハンドル９を施錠状態にした後、盗難防止具３０Ｂのラッチケース囲繞部３２Ｂをハンドル９の内方側（扉体側）に位置させて、ラッチケース７を囲繞すると共に、固定ねじ６の頭部６ａに設けられた操作溝部６ｂを覆った後、両ラッチ受け側端部３４によってラッチ受け４を挟持状に囲繞する。そして、ラッチ受け側端部３４に設けられた貫通孔３５及びラッチ受け４に設けられた貫通孔４ａに枢支ピン６０を貫通させた後、枢支ピン６０の突出部に設けられた透孔６２に南京錠４０ＢのＵ字形金具４１Ｂを貫通した後、施錠すればよい。
【００３９】
なお、扉体５を開閉する場合は、南京錠４０Ｂの施錠を解き、枢支ピン６０をラッチ受け４から取り外して、盗難防止具３０Ｂを取り外せばよい。この際、取り外された盗難防止具３０Ｂのラッチ受け側端部３４をラッチ受け４の両側に配置し、ラッチ受け側端部３４に設けられた貫通孔３５及びラッチ受け４に設けられた貫通孔４ａに枢支ピン６０を貫通させた後、枢支ピン６０の突出部に設けられた透孔６２に南京錠４０ＢのＵ字形金具４１Ｂを貫通した後、施錠しておけば、盗難防止具３０Ｂが紛失する恐れがない（図６参照）。
【００４０】
＜その他の実施形態＞
上記実施形態では、盗難防止具３０｛具体的には、ラッチケース囲繞部３２，３２Ｂ｝が固定ねじ６の頭部６ａの少なくとも操作溝部６ｂを覆う幅を有する場合について説明（図示）したが、ラッチケース囲繞部３２，３２Ｂの幅を広くして固定ねじ６の頭部６ａ全体を外部から覆うようにする方が安全面で好ましい。
【００４１】
また、上記実施形態では、盗難防止具３０，３０Ｂが、固定ねじ６の頭部６ａに設けられた操作溝部６ｂを覆う場合について説明したが、図８に示すように、盗難防止具３０，３０Ｂにおける対向する２辺に、ハンドル９に設けられたロック部９０を覆うアーチ状の補助覆い片７０を架設すれば、更にハンドル９のロック部９０を外部から覆うことができるので、更に盗難防止機能の向上を図ることができる。
【図面の簡単な説明】
【００４２】
【図１】この発明に係る盗難防止装置を冷蔵・冷凍庫用扉ハンドルに適用した場合の第１実施形態を示す概略正面図である。
【図２】第１実施形態の盗難防止装置を示す正面図（ａ）及びその平面図（ｂ）である。
【図３】第１実施形態における盗難防止具の斜視図である。
【図４】第２実施形態の盗難防止装置を示す正面図（ａ）及びその平面図（ｂ）である。
【図５】第３実施形態の盗難防止装置の使用状態を示す正面図（ａ）及びその平面図（ｂ）である。
【図６】第３実施形態の盗難防止装置の不使用状態を示す正面図（ａ）及びその平面図（ｂ）である。
【図７】第３実施形態における盗難防止具を示す斜視図である。
【図８】この発明における盗難防止具の更に別の形態を示す斜視図である。
【図９】従来の扉ハンドルを示す正面図である。
【符号の説明】
【００４３】
１  庫体
２  出入口用開口部
３  庫口枠
４  ラッチ受け
４ａ  貫通孔
５  扉体
６  固定ねじ
６ａ  頭部
６ｂ  操作溝部
７  ラッチケース
８  ラッチ
９  ハンドル
２０，２０Ａ，２０Ｂ  盗難防止装置
３０，３０Ｂ  盗難防止具
３１  ラッチ受け囲繞部
３２，３２Ｂ  ラッチケース囲繞部
３３，３３Ｂ  傾斜連結部
３４  ラッチ受け側端部
３５  貫通孔
４０，４０Ａ，４０Ｂ  南京錠（錠前）
５０  係止ピン
５２  透孔
６０  枢支ピン
６２  透孔
７０  補助覆い片
９０  ロック部
【図１】
2005180045.tif 000003
【図２】
2005180045.tif 000004
【図３】
2005180045.tif 000005
【図４】
2005180045.tif 000006
【図５】
2005180045.tif 000007
【図６】
2005180045.tif 000008
【図７】
2005180045.tif 000009
【図８】
2005180045.tif 000010
【図９】
2005180045.tif 000011